(57)【要約】【課題】  電源スイッチ押下時に操作パネルへ起動時間を短縮するモードが選択されていることをユーザーへ知らせることで、電源コンセント引き抜きを防ぐように注意喚起を行う。【解決手段】  電源スイッチ押下時に操作パネルへ、起動時間を短縮するモードか電源オフかを選択させる画面を所定時間表示することで、特に起動時間を短縮するモードが設定されている場合に、電源コンセント引き抜きの注意喚起を行う。また、ソフトウェアのハングアップ時も電源オフできるように、電源スイッチ押下から所定時間内に電源断するハードウェア構成の場合、起動時間を短縮するモードと電源オフの移行までに掛かる処理時間の長い方を差し引いた制限時間内で選択画面を表示する。【選択図】図５
2020104263.tif 000002
【特許請求の範囲】
【請求項１】
コピー・スキャナー・ファクシミリ・プリンタ複合機において、
電源スイッチ押下によりコンデンサの放電を開始し、コンデンサに蓄積している放電を終えるまではソフトウェアの動作を可能とする手段を有し、
電源スイッチ押下時に操作パネルへ、起動時間を短縮するモードか電源オフかを選択させる画面を表示する手段を有し、
コンデンサの放電時間から、起動時間を短縮するモードや電源オフの移行までに掛かる処理時間を差し引いた時間内に上記選択画面を表示する手段を有することを特徴とする情報処理装置。
【請求項２】
起動時間を短縮するモードか電源オフかを選択させる画面を表示する時間が十分に取れない場合において、選択画面の表示後に電源コンセントの引き抜きの注意喚起を図る警告メッセージを表示することを特徴とする請求項１に記載の情報処理装置。
【発明の詳細な説明】
【技術分野】
【０００１】
本発明は、画像形成装置、その制御方法及びプログラムに関する。
【背景技術】
【０００２】
近年、画像形成装置は起動に要する時間が長くなる傾向にある。
【０００３】
その要因の一つは、画像形成装置の多機能化等に伴い、起動時にＲＯＭからＲＡＭへ展開すべきデータの量が大きくなってきているからである。
【０００４】
これに対して、ユーザーが電源スイッチをオフにした際にＲＡＭのデータをそのまま保持しておき、次回ユーザーが電源スイッチをオンにした際にはＲＯＭからＲＡＭへのデータの展開を省略することにより、起動に要する時間を短縮する技術がある。
【０００５】
この様な技術としては、ＲＡＭへの通電を継続することによってＲＡＭのデータを保持するサスペンドという技術がある（特許文献１参照）。
【０００６】
また、この様な技術としては、ＲＡＭのデータをＨＤＤに一時退避させることによってＲＡＭのデータを保持するハイバネーションという技術もある（特許文献２参照）。
【０００７】
この様な技術では、ユーザーからは装置の電源スイッチがオフになっているように見えつつも、一方では起動時間を短縮することができる。
【先行技術文献】
【特許文献】
【０００８】
【特許文献１】特開平９−３４５７８号公報
【特許文献２】特開２０００−８２０１４号公報
【発明の概要】
【発明が解決しようとする課題】
【０００９】
起動時間を短縮するモードが初期設定であった場合、それに気づかず電源コンセント引き抜きを行う可能性が高まる。
【００１０】
電源スイッチ押下時に、ＲＡＭのデータを不揮発性メモリへ書き戻しするシステムであった場合、電源コンセント引き抜きによりその処理を実行できなくなる。
【００１１】
その結果、ＲＡＭのデータを不揮発性メモリへ書き戻しすることが出来ず、不揮発性メモリへ書き戻し済みのデータと書き戻し出来なかったデータが混在してデータ不整合が生じ、次回起動が出来なくなる場合がある。
【００１２】
そこで本発明は、電源スイッチ押下時に操作パネルへ起動時間を短縮するモードが選択されていることをユーザーへ知らせることで、電源コンセント引き抜きを防ぐように注意喚起を行うことを目的とする。
【課題を解決するための手段】
【００１３】
上記の目的を達成するために、本発明に係る情報処理装置は、
電源スイッチ押下によりコンデンサの放電を開始し、コンデンサに蓄積している放電を終えるまではソフトウェアの動作を可能とする手段と、
電源スイッチ押下時に操作パネルへ、起動時間を短縮するモードか電源オフかを選択させる画面を表示する手段と、
コンデンサの放電時間から、起動時間を短縮するモードや電源オフの移行までに掛かる処理時間を差し引いた時間内に上記選択画面を表示する手段と、
を有することを特徴とする。
【発明の効果】
【００１４】
本発明に係る情報処理装置によれば、電源スイッチ押下時に操作パネルへ、起動時間を短縮するモードか電源オフかを選択させる画面を所定時間表示することで、特に起動時間を短縮するモードが設定されている場合に、電源コンセント引き抜きの注意喚起を行うことを可能とする。また、ソフトウェアのハングアップ時も電源オフできるように、電源スイッチ押下から所定時間内に電源断するハードウェア構成の場合、起動時間を短縮するモードと電源オフの移行までに掛かる処理時間の長い方を差し引いた制限時間内で選択画面を表示する。
【図面の簡単な説明】
【００１５】
【図１】本発明に係る画像形成装置の構成を示すブロック図
【図２】本発明に係る画像形成装置のコントローラの構成を示すブロック図
【図３】本発明に係る画像形成装置の電力供給状態を示す図
【図４】本発明に係る画像形成装置の処理時間の遷移を示す図
【図５】本発明に係る画像形成装置の主電源スイッチ押下のフローチャートを示す図
【図６】本発明に係る画像形成装置のプリンタエンジンの断面図
【図７】本発明に係る画像形成装置の主電源スイッチ押下のフローチャートを示す図
【図８】本発明に係る画像形成装置の操作部への表示を示す図
【発明を実施するための形態】
【００１６】
以下の説明では、情報処理装置の一例としてプリンタ（画像形成装置）について説明するが、画像形成装置は複合機等のように他の装置であってもよい。
【００１７】
〔第１の実施形態〕
＜装置の構成＞
まず、本発明に係る装置の構成について、図１〜図３を用いて説明する。
【００１８】
図１は、本発明に係る画像形成装置の構成を示すブロック図である。
【００１９】
データ処理装置１０２は、例えばコンピュータであり、画像形成装置１０１に対してＬＡＮ等の通信インタフェースを介して印刷ジョブの発行や機器の指示等を行う。
【００２０】
画像形成装置１０１は、以下の構成を有する。コントローラ２０２は、各モジュールに指示を出す事により、画像形成装置を統括的に制御する。プリンタエンジン２０５は、コントローラ２０２より共有される画像情報に従ってデジタル画像を紙に出力する。操作部２０１は、画像形成装置１０１の操作を行なうためのものである。そして、操作部２０１は、ユーザーが画像形成装置１０１を設定するための操作ボタンや、ユーザーに画像形成装置１０１の各種情報を提示するための表示部としての液晶画面等の表示パネルを備える。ハードディスク装置２０３は、他のストレージ装置であってもよく、デジタル画像やそのデジタル画像の生成時に使用するリソース情報等を記憶する。電源ユニット２０４は、ＡＣ電源に接続され、画像形成装置１０１内の各ユニットに対して電力を供給する。
【００２１】
なお、本実施例において適用される画像形成装置は、プリンタに限られるものではなく、画像形成機能を有するデジタル複合機でもよい。
【００２２】
図２は、本発明に係る画像形成装置のコントローラの構成を示すブロック図である。なお、ＣＰＵ３０１やＣＰＵ３２１には、チップセット、バスブリッジ、クロックジェネレータ等のＣＰＵ周辺ハードウェアが多数含まれているが、本図では簡略化して記載している。
【００２３】
コントローラ２０２は、メインボード３００とサブボード３２０を有する。
【００２４】
メインボード３００は、汎用ＣＰＵシステムであり、以下の構成を有する。ＣＰＵ３０１は、メインボード３００全体を制御する。ＲＯＭ３０２は、ＣＰＵ３０１およびＣＰＵ３２１のプログラムを記憶する。不揮発性メモリ３０３は、画像形成装置１０１の設定情報や印刷に関連するカウンタ情報を記憶し、電源断された場合であっても情報を保持する。ＵＳＢコントローラ３０４は、ＵＳＢメモリ２０６に対するデータの入出力を制御する。ＵＳＢメモリ２０６は、画像形成装置で使用すべき各種データを記憶する。ディスクコントローラ３０５は、ハードディスク装置２０３に対する入出力を制御する。バスコントローラ３１０は、サブボード３２０のバスコントローラ３３０とのブリッジ機能を持つ。リセット回路３３１は、メインボード３００のＨ／Ｗの設定をリセットする。
【００２５】
サブボード３２０は、比較的小さな汎用ＣＰＵシステムと、画像処理ハードウェアからなり、以下の構成を有する。ＣＰＵ３２１は、サブボード３２０全体を制御する。ネットワークコントローラ３２２は、ＬＡＮを介してデータ処理装置１０２との間でデータの入出力を行う。電源監視Ｈ／Ｗ３２３は、本システムの電源制御を監視する。ＣＰＵ３２１が正常に動作できる場合、ＣＰＵ３２１の指示に従い、リセット回路３３１およびリセット回路３１１を介してシステムにリセットを掛けることが可能である。
【００２６】
電源監視Ｈ／Ｗ３２３にはコンデンサ３５０を搭載し、電源スイッチ３６０の押下により蓄えた電気の放電を終えるまでの所定時間はソフトウェアの動作を可能とする。また、ＣＰＵ３２１に電源が供給されていない状態では、電源スイッチ３６０の入力に従ってコントローラ２０２の電源を投入することができる。これは、ＡＳＩＣ等の場合、小さなＣＰＵシステムでもよい。
【００２７】
リセット回路３３１は、サブボード３２０のＨ／Ｗの設定をリセットする。画像処理プロセッサ３２４は、リアルタイムデジタル画像処理を行う。デバイスコントローラ３２５は、プリンタエンジン２０５を制御する。バスコントローラ３３０は、メインボード３００のバスコントローラ３１０とのブリッジ機能を持つ。これらの他に、コントローラ２０２は、ＲＡＭ３４０を有する。ＲＡＭ３４０は、ＣＰＵ３０１とＣＰＵ３２１のそれぞれからアクセス可能であり、それぞれの主記憶メモリと使用される。ＣＰＵ３０１は、ＲＯＭ３０２の初期プログラムに従って、ＣＰＵ３０１とＣＰＵ３２１のそれぞれのメインプログラムをＲＯＭ３０２よりから読み出し、ＲＡＭ３４０に記憶する。
【００２８】
図３は、本発明に係る画像形成装置の電力供給状態（省電力モード）を示す図である。なお、以下の説明において、電力供給が停止されるとは、電力供給が０になる場合だけでなく、電力の供給先が正常に動作しない程度の微量な電力供給が行われている場合も含むものとする。
【００２９】
図３（ａ）は、電源オン状態を示す図である。この状態では、画像形成装置１０１の各構成へ電力供給が行われる。電源オン状態において、何も機能が実行されないまま所定の時間が経過すると、図３（ｃ）の節電状態へ移行する。また、電源オン状態において、電源スイッチ押下による電源オフ操作されると、所定の条件下で、図３（ｂ）の電源オフ状態に移行する。
【００３０】
図３（ｂ）の電源オフ状態に移行するケースとしては、所定の時間以上電源スイッチ押下状態にするような電源ボタンの長押し操作も対象にしてよい。また、電源オン状態において、電源スイッチ押下による電源オフ操作されると、所定の条件下で、図３（ｄ）の高速起動待機状態に移行する。図３（ｂ）は、電源オフ状態を示す図である。この状態では、画像形成装置１０１の各構成への電力供給が停止される。電源オフ状態において、電源スイッチ押下による電源オン操作されると、図３（ａ）の電源オン状態に移行する。この時には、ＣＰＵ３０１とＣＰＵ３２１のそれぞれのメインプログラムをＲＯＭ３０２よりから読み出してＲＡＭ３４０に展開するため、図３（ｄ）の高速起動待機状態からの起動に比べて起動完了までの時間が長くなる。
【００３１】
図３（ｃ）は、節電状態を示す図である。この状態では、ＣＰＵ３２１、ＲＡＭ３４０、ネットワークコントローラ３２２、電源ユニット２０４への電力供給が維持され、その他の構成への電力供給は停止される。節電状態において、ネットワークコントローラ３２２へデータが入力されたり、ユーザーによって操作部２０１の節電解除ボタンが押されたりすると、図３（ａ）の電源オン状態に移行する。また、節電状態において、電源スイッチ押下による電源オフ操作されると、所定の条件下で、図３（ｂ）の電源オフ状態に移行する。図３（ｂ）の電源オフ状態に移行するケースとしては、所定の時間以上電源スイッチ押下状態にするような電源スイッチの長押し操作も対象にしてよい。また、節電状態において、電源スイッチ押下による電源オフ操作されると、所定の条件下で、図３（ｄ）の高速起動待機状態に移行する。
【００３２】
図３（ｄ）は、高速起動待機状態を示す図である。この状態では、ＣＰＵ３２１、ＲＡＭ３４０への電力供給が維持され、その他の構成への電力供給は停止される。高速起動待機状態において、電源スイッチ押下による電源オン操作されると、図３（ａ）の電源オン状態に移行する。この時には、ＣＰＵ３０１はＲＡＭ３４０に展開済みのメインプログラムを使用するため、図３（ｂ）の電源オフ状態からの起動に比べて起動完了までの時間が短くなる。
【００３３】
図３（ａ）〜図３（ｄ）を消費電力が大きい順に状態を並べると、図３（ａ）＞図３（ｃ）＞図３（ｄ）＞図３（ｂ）となる。また、図３（ｂ）〜図３（ｄ）を図３（ａ）への移行が速い順に並べると、図３（ｃ）＞図３（ｄ）＞図３（ｂ）となる。高速起動待機状態において、所定の時間以上電源スイッチ押下状態にするような電源スイッチの長押し操作されたときには、図３（ｂ）の電源オフ状態に移行する構成であってもよい。
【００３４】
次に、本発明に係る装置の機能について説明する。
【００３５】
まず、画像形成装置１０１は、以下のような印刷機能を備える。
【００３６】
ＣＰＵ３２１は、データ処理装置１０２から送信された例えばページ記述言語による印刷データを受信し、ＲＡＭ３４０に保存する。ＣＰＵ３０１は、ＣＰＵ３２１による印刷データ受信を確認すると、ページ記述言語を解析し、画像プロセッサ３２４がビットマップデータに変換可能な中間データとしてＲＡＭ３４０に保存する。
【００３７】
ＣＰＵ３２１は、中間データの生成を確認すると、ＲＡＭ３４０から読み出した中間データを画像処理プロセッサ３２４に入力し、画像プロセッサ３２４はＣＰＵ３２１を介してメモリ３４０にビットマップデータを出力する。ＣＰＵ３２１は、ビットマップデータの生成に従ってデバイスコントローラ３２５を介してプリンタエンジン２０５に印刷要求を送信するとともに、画像プロセッサ３２４にＲＡＭ３４０の画像データ（ビットマップデータ）の位置を教える。
【００３８】
ＣＰＵ３２１は、プリンタエンジン２０５からの画像転送同期信号に従って、ＲＡＭ３４０上の画像データを画像処理プロセッサ３２４とデバイスコントローラ３２５を介してプリンタエンジン２０５に送信する。プリンタエンジン２０５は、コントローラ２０２より転送されたデジタル画像データを所定の電子写真プロセスに従って紙に印刷する。
【００３９】
次に、本発明に係る装置の動作について、図４〜図５を用いて説明する。なお、各フローチャートに示す動作は、ＣＰＵ３０１およびＣＰＵ３２１が、ＲＡＭ３４０に展開したそれぞれのメインプログラムを実行することによって実現される。
【００４０】
図４は、本発明に係る画像形成装置の処理時間の遷移を示す図である。
【００４１】
図４（ａ）は、電源オン操作により、図３（ｂ）から（ａ）への遷移時の処理を示す図である。ＣＰＵ３０１は、ＲＯＭ３０２の初期プログラムに従って、プログラム４００をＲＯＭ３０２より読み出し、ＲＡＭ３４０へ記憶する。プログラム４００の初期化が行われ、不揮発性メモリ３０３やハードディスク装置２０３に記憶しているデータを読み出し、ＲＡＭ３４０へ記憶し、プログラムを動作可能な状態へ遷移させる。プログラム４００の初期化動作を電源オン処理４１０で示す。また、同期してプリンタエンジン２０５の初期化動作が行われ、印刷が可能な状態へ遷移する。プリンタエンジン２０５の初期化動作を電源オン処理４２０で示す。
【００４２】
図４（ｂ）は、電源オフ操作により、図３（ａ）から（ｂ）への遷移時の処理を示す図である。電力供給を停止する前に、ＲＡＭ３４０に記憶しているデータを不揮発性メモリ３０３やハードディスク装置２０３へ退避させ、安全な状態で電源を落とすことが出来る状態に遷移させる。ＲＡＭ３４０のデータを不揮発性メモリ３０３やハードディスク装置２０３へ退避させる際において、データへのアクセス方法がファイルシステムであれば、全データの書き込みを完了し、ファイルクローズさせるまでの制御を行う。プログラム４００の終了動作を電源オフ処理４３０で示す。
【００４３】
また、同期してプリンタエンジン２０５の終了動作が行われ、電力供給の停止を可能な状態へ遷移する。プリンタエンジン２０５の終了動作を電源オフ処理４４０で示す。図２のコンデンサ３５０の放電時間を４５０で示す。この放電時間４５０が完了するまでの間に、電源オフ処理４３０と４４０を完了する必要がある。
【００４４】
図４（ｃ）は、高速起動待機操作により、図３（ａ）から（ｄ）への遷移時の処理を示す図である。プログラム４００は、ＲＡＭ３４０に記憶しているデータを不揮発性メモリ３０３やハードディスク装置２０３へ退避させずに、コントローラ２０２を節電状態に遷移させる。この制御を節電処理４６０で示す。また、同期してプリンタエンジン２０５の終了動作が行われ、電力供給の停止を可能な状態へ遷移する。プリンタエンジン２０５の終了動作を電源オフ処理４５０で示す。この状態で停電や電源コンセントの引き抜きが行われると、電力供給が停止するためＲＡＭ３４０に記憶しているデータが消滅することになる。その結果、ＲＡＭのデータを不揮発性メモリへ書き戻しすることが出来ず、不揮発性メモリへ書き戻し済みのデータと書き戻し出来なかったデータが混在してデータ不整合が生じ、次回起動が出来なくなる場合がある。
【００４５】
図４（ｄ）は、高速起動復帰操作により、図３（ｄ）から（ａ）への遷移時の処理を示す図である。プログラム４００は、図４（ｃ）の節電処理４６０で節電状態へ遷移させた状態を復帰動作させる制御を節電復帰処理４７０で示す。また、同期してプリンタエンジン２０５の初期化動作が行われ、印刷が可能な状態へ遷移する。プリンタエンジン２０５の初期化動作を電源オン処理４２０で示す。
【００４６】
図４（ｅ）は、電源スイッチ押下時に図３（ｂ）と（ｃ）の選択画面表示の処理を示す図である。電源スイッチ押下すると、図３（ｂ）電源オフと（ｃ）高速起動待機の選択が可能な選択画面４８０を操作部２０１へ表示する。電源オフを選択した場合は電源オフ処理４３０を、高速起動待機を選択した場合は節電処理４６０の処理を行うが、選択画面４８０の表示時間を加算してコンデンサ放電時間４５０の処理時間内に収まる時間内で選択画面表示を行う。
【００４７】
例えば、電源オフ処理４３０を３０秒、節電処理４６０を１５秒、コンデンサ放電時間４５０を５０秒とした場合、選択画面表示時間を１０秒とすることで、コンデンサ放電時間４５０の５０秒内に収まるように時間配分を行う。なお、操作部２０１へ、電源オフ処理４３０か節電処理４６０を選択する選択画面を表示する際は初期設定されている方を強調表示する。その結果、高速起動待機が設定されている場合に、コンセント引き抜きの注意喚起を行うことが可能となる。選択画面４８０の表示時間内に選択されなかった場合、初期設定されている方を自動選択する。
【００４８】
図５は、本発明に係る画像形成装置の図４（ｅ）の動作を示すフローチャートである。電源スイッチ３６０の押下により本フローチャートの動作が開始する。
【００４９】
ステップ５０１では、高速起動待機を利用するか、電源オフへ切り替えるかの選択画面を操作部２０１へ表示する。ステップ５０２で選択が行われると、ステップ５０５において高速起動待機が選択されたか否かの判断を行う。
【００５０】
一方、選択が行われていない場合、ステップ５０３で所定時間を経過したか否かを判断し、所定時間を経過するまでの間はステップ５０１から５０３を繰り返す。所定時間については、図４（ｅ）で説明した方法に従い予め時間を設定しておく。ステップ５０３において、所定時間を経過した場合はステップ５０４において、初期設定されている方を自動選択する。
【００５１】
ステップ５０５で高速起動待機が選択されている場合、ステップ５０６でプログラム４００は節電処理４６０を、ステップ５０７でプリンタエンジン２０５の電源オフ処理４４０を行う。ステップ５０８では、ステップ５０６とステップ５０７の処理終了、もしくは、所定時間の経過を待ち続けている。ここの所定時間とは、図４（ｅ）で説明した、コンデンサ放電時間４５０から選択画面表示時間を差し引いた時間内とすることで、コンデンサ放電時間４５０よりも先にプログラム４００の節電処理４６０と、プリンタエンジン２０５の電源オフ処理４４０の処理を終えるように時間を設定する。
【００５２】
ステップ５０８において、ステップ５０６とステップ５０７の処理終了、もしくは、所定時間を経過した場合は、高速起動待機状態への移行を完了として以上のフローを終了する。
【００５３】
一方、ステップ５０５で電源オフが選択されている場合、ステップ５０９でプログラム４００は電源オフ処理４３０を、ステップ５１０でプリンタエンジン２０５の電源オフ処理４４０を行う。ステップ５１１では、ステップ５０９とステップ５１０の処理終了、もしくは、所定時間の経過を待ち続けている。
【００５４】
ここの所定時間とは、図４（ｅ）で説明した、コンデンサ放電時間４５０から選択画面表示時間を差し引いた時間内とすることで、コンデンサ放電時間４５０よりも先にプログラム４００の電源オフ処理４３０と、プリンタエンジン２０５の電源オフ処理４４０の処理を終えるように時間を設定する。
【００５５】
ステップ５１１において、ステップ５０９とステップ５１０の処理終了、もしくは、所定時間を経過した場合は、電源オフ移行を完了として以上のフローを終了する。
【００５６】
図６は、本発明に係る画像形成装置の図１のプリンタエンジン２０５として、レーザービームプリント方式の場合を示している。
【００５７】
印刷画像データはビデオ信号に変換してレーザードライバ１００２に出力する。レーザドライバ１００２は半導体レーザ１００３を駆動するための回路であり、入力されたビデオ信号に応じて半導体レーザ１００３から発射されるレーザ光１００４のオン・オフ切り換えを行なう。レーザ光１００４は回転多面鏡１００５で左右方向に振らされて静電ドラム１００６上を走査露光する。これにより、静電ドラム１００６上には出力画像の静電潜像が形成されることになる。
【００５８】
この潜像は、静電ドラム１００６周囲に配設された現像ユニット１００７により現像された後、印刷用紙に転写される。印刷用紙はプリントエンジン本体に装着した印刷用紙カセット１００８に収納され、給紙ローラ１００９、及び搬送ローラ１０１０、  １０１１により装置内に取り込まれて静電ドラム１００６に供給される。
【００５９】
なお、本実施例を適用するプリンタとしては、レーザービームプリンタに限られたものではなく、インクジェットプリンタ、昇華プリンタ、銀塩プリンタなどの他のプリンタを用いてもよい。
【００６０】
以上のように、電源スイッチ押下時に操作パネルへ、起動時間を短縮するモードか電源オフかを選択させる画面を所定時間表示することで、特に起動時間を短縮するモードが設定されている場合に、電源コンセント引き抜きの注意喚起を行うことを可能とする。
【００６１】
また、ソフトウェアのハングアップ時も電源オフできるように、電源スイッチ押下から所定時間内に電源断するハードウェア構成の場合、起動時間を短縮するモードと電源オフの移行までに掛かる処理時間の長い方を差し引いた制限時間内で選択画面を表示する。
【００６２】
〔第２の実施形態〕
第１の実施形態では、図４（ｅ）において、所定時間内に高速起動待機と電源オフの選択画面を表示する場合について説明した。第２の実施形態では、図４（ｅ）において、選択画面表示以降に、電源コンセントの引き抜きの注意喚起を図る警告メッセージを表示する場合を説明する。第２の実施形態では、図４（ｅ）において、プログラム４００の電源オフ処理４３０や節電処理４６０の処理時間が長く、選択画面表示する時間が十分に取れない場合に、警告メッセージを表示することで、注意喚起を長く表示することを目的とする。
【００６３】
図７は、本発明に係る画像形成装置の図４（ｅ）の動作を示すフローチャートである。図５のフローチャートとの違いは、ステップ５０５において高速起動待機が選択されている場合、次にステップ５２０において警告メッセージ表示を行う点である。この警告メッセージ表示は本フローチャートが終了するまで継続しても良い。
【００６４】
図８は、図７のステップ５０１とステップ５２０で表示する画面の一例である。図８（ａ）は、ステップ５０１で表示する選択画面の一例である。図８（ｂ）は、ステップ５２０で表示する警告メッセージの一例である。
【００６５】
以上のように、電源オフ処理や節電処理の処理時間が長く、選択画面表示する時間が十分に取れない場合に、警告メッセージを表示することで、注意喚起を長く表示することを目的とする。
【００６６】
〔他の実施形態〕
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６７】
１０１  画像形成装置、１０２  データ処理装置、２０１  操作部、
２０２  コントローラ、２０３  ハードディスク装置、２０４  電源ユニット、
２０５  プリンタエンジン、２０６  ＵＳＢメモリ、３０１  ＣＰＵ、
３０２  ＲＯＭ、３０３  不揮発性メモリ、３０４  ＵＳＢコントローラ、
３０５  ディスクコントローラ、３００  メインボード、
３１０  バスコントローラ、３１１  リセット回路、３２０  サブボード、
３２１  ＣＰＵ、３２２  ネットワークコントローラ、３２３  電源監視Ｈ／Ｗ、
３２４  画像処理プロセッサ、３２５  デバイスコントローラ、
３３０  バスコントローラ、３３１  リセット回路、３５０  コンデンサ、
３６０  電源スイッチ、４１０  プログラムの電源オン処理、
４２０  プリンタエンジンの電源オン処理、
４３０  プログラムの電源オフ処理、
４４０  プリンタエンジンの電源オフ処理、
４５０  コンデンサ放電時間、
４６０  プログラムの節電処理、
４７０  プログラムの節電復帰処理、
４８０  選択画面表示、１００２  レーザドライバ、１００３  半導体レーザ、
１００４  レーザ光、１００５  回転多面鏡、１００６  感光体、
１００７  現像ユニット、１００８  印刷用紙カセット、
１００９  給紙ローラ、１０１０  搬送ローラ、１０１１  搬送ローラ
【図１】
2020104263.tif 000003
【図２】
2020104263.tif 000004
【図３】
2020104263.tif 000005
【図４】
2020104263.tif 000006
【図５】
2020104263.tif 000007
【図６】
2020104263.tif 000008
【図７】
2020104263.tif 000009
【図８】
2020104263.tif 000010